(57)【要約】      （修正有）【課題】判定対象物から引き抜く際に、経路内の段差部に判定用球体が引っ掛かってしまうことを抑制することができるボールゲージを提供する。【解決手段】ボールゲージ１は、可撓性を有する所定外径のワイヤー５の先端にワイヤー５の外径よりも大きい外径を有する判定用球体１０が取り付けられ、判定用球体１０の中心に対してワイヤー５の先端の中心軸線が偏位しており、かつ、ワイヤー５の先端における、中心軸線に平行な外縁が、判定用球体１０の接線上に位置している。【選択図】図１
2018077188.tif 000002
【特許請求の範囲】
【請求項１】
可撓性を有する所定外径の線状体の先端に、前記線状体の外径よりも大きい外径の判定用球体が形成されているボールゲージであって、
前記線状体の先端における中心軸線に対して前記判定用球体の中心が偏位しており、
かつ、前記線状体と前記判定用球体との境界部における、前記判定用球体の中心を含む断面において、前記線状体の先端における前記中心軸線に平行な外縁が前記判定用球体の接線上に位置している
ことを特徴とするボールゲージ。
【請求項２】
前記線状体の基端側には、
前記線状体の先端における中心軸線に対して前記判定用球体の中心が偏位している方向を示す標識部が設けられている
請求項１に記載のボールゲージ。
【発明の詳細な説明】
【技術分野】
【０００１】
本発明は、判定対象となる隙間へ挿入される所定外径の判定用球体を有するボールゲージに関する。
【背景技術】
【０００２】
従来、ボールゲージとしては、判定対象となる隙間へ挿入される所定外径の判定用球体を有するものが知られている。例えば特許文献１には、所要の長さを有する棒状体の少なくとも一端部に所定の外径寸法に形成した計測体を付設したものが開示されている。かかる構成にあっては、複雑な内部機構の奥の方に判定対象の隙間が位置していても、その隙間に計測体を挿入することできる。
【先行技術文献】
【特許文献】
【０００３】
【特許文献１】特開２００１−１４１４０５号公報
【発明の概要】
【発明が解決しようとする課題】
【０００４】
しかしながら、上記のような従来のボールゲージ１００にあっては、図３（ｂ）に示すように、例えば計測終了後に判定用球体１１０を判定対象物３０から引き抜く際に、ボールゲージ挿入口（図示省略）から判定対象の隙間に至るまでの経路Ｓに形成されている段差部３５に判定用球体１１０が引っ掛かってしまうことがあった。このように、ボールゲージ１００で計測する度に判定用球体１１０が段差部３５に引っ掛かると、作業効率が大幅に低下してしまう。
【０００５】
そこで本発明は、例えば判定対象物から引き抜く際に、経路内の段差部に判定用球体が引っ掛かってしまうことを抑制することができるボールゲージを提供することを目的とする。
【課題を解決するための手段】
【０００６】
本発明は、可撓性を有する所定外径の線状体の先端に、前記線状体の外径よりも大きい外径の判定用球体が形成されているボールゲージであって、前記線状体の先端における中心軸線に対して前記判定用球体の中心が偏位しており、かつ、前記線状体と前記判定用球体との境界部における、前記判定用球体の中心を含む断面において、前記線状体の先端における前記中心軸線に平行な外縁が前記判定用球体の接線上に位置していることを特徴とするボールゲージである。
【０００７】
ここで、前記判定用球体を、判定対象の隙間を有する判定対象物から引き抜くときであって、所定のボールゲージ挿入口から前記隙間に至る経路に形成されている段差部に前記判定用球体が引っ掛かった場合には、作業者は前記線状体を中心軸線周りに回動させるなどして前記段差部に前記線状体の先端の外周面を当接させつつ、前記判定用球体を手元側に引き抜いてやればよい。そうすると、判定用球体が段差部を円滑に乗り越えることが可能となる。
【０００８】
また、前記線状体の基端側には、前記線状体の先端における中心軸線に対して前記判定用球体の中心が偏位している方向を示す標識部が設けられていることが望ましい。
【０００９】
かかる構成にあっては、作業者が前記標識部を目視等で確認しながら、前記線状体に対する判定用球体の位置を認識することが可能となる。したがって、段差部が作業者から直接視認することができない作業環境であっても、段差部に対する前記判定用球体の向きを適切に変更することができる。
【発明の効果】
【００１０】
本発明にかかるボールゲージは、例えば判定対象物から引き抜く際に、経路内の段差部に判定用球体が引っ掛かってしまうことを抑制することができる効果がある。
【図面の簡単な説明】
【００１１】
【図１】実施例にかかるボールゲージの概要側面図である。
【図２】実施例にかかるボールゲージの先端を示し、（ａ）は部分拡大斜視図、（ｂ）は部分拡大縦断面図である。
【図３】（ａ）は実施例にかかるボールゲージを判定対象物から引き抜く過程を示す説明図であり、（ｂ）は従来のボールゲージを判定対象物から引き抜く過程を示す説明図である。
【発明を実施するための形態】
【００１２】
以下に本発明を具体化した実施例を詳細に説明する。なお、本発明は、下記に示す実施例に限定されることはなく、適宜設計変更が可能である。
【００１３】
本実施例のボールゲージ１を図１〜図３に従って説明する。
ボールゲージ１は、図１に示すように、可撓性を有する線状体であるワイヤー５の先端に、球状の判定用球体１０が取り付けられている。判定用球体１０の外径は、ワイヤー５の外径よりも大きい寸法に定められている。なお、ワイヤー５は、例えば金属製ロープによって構成することができる。また、判定用球体１０は、金属材料で構成することができる。そして、本実施例にあっては、ワイヤー５と判定用球体１０とが溶接されている。
【００１４】
また、ワイヤー５の基端には、平板状の把持部１５が配設されている。把持部１５はボールゲージ１を操作する作業者が把持する部分であり、非可撓性の材料で構成されている。
【００１５】
ここで、ボールゲージ１にあっては、図２（ａ）に示すように、判定用球体１０の中心Ｃ１に対してワイヤー５の先端における中心軸線Ｃ２が偏位している。言い換えると、判定用球体１０の中心Ｃ１が、ワイヤー５の先端における中心軸線Ｃ２上に位置していない。
【００１６】
さらに、図２（ｂ）に示すように、ワイヤー５と判定用球体１０との境界部における、判定用球体１０の中心Ｃ１を含む縦断面において、ワイヤー５の先端における中心軸線Ｃ２に平行な外縁Ｃ３が、判定用球体１０の接線Ｃ４上に位置している。言い換えると、ボールゲージ１におけるワイヤー５の先端における外周面のうち最も外側の部分が判定用球体１０の接線Ｃ４に一致するように、判定用球体１０がワイヤー５の先端に取り付けられている。
【００１７】
また、ワイヤー５の基端側に設けられた把持部１５には、ワイヤー５の先端における中心軸線Ｃ２に対して判定用球体１０の中心Ｃ１が偏位している方向を示す標識部２０が設けられている。具体的には、把持部１５の外周面において、判定用球体１０が偏位している方向にのみ標識部２０が突出している。かかる構成により、作業者は把持部１５に設けられた標識部２０を目視や手で確認しながら、判定用球体１０の偏位方向を認識することができる。
【００１８】
次に、計測終了後に判定用球体１０を判定対象物３０から引き抜くときであって、判定対象物３０内の経路Ｓ内に、作業者から直接視認することができない段差部３５が形成されている場合の使用状態を図３（ａ）に従って説明する。
【００１９】
かかる構成にあって、仮に判定用球体１０が段差部３５に引っ掛かった場合には、作業者は把持部１５に設けられた標識部２０を見ながら把持部１５を中心軸線Ｃ２周りに回動させて、ワイヤー５の外縁Ｃ３を段差部３５に当接させる。そして、その状態でボールゲージ１を引き抜くと、判定用球体１０が段差部３５を円滑に乗り越えることが可能となる。
【００２０】
なお、経路Ｓ内に段差部３５が複数ある場合であっても、判定用球体１０を、段差部３５上を通過させる度に把持部１５を適宜回動させてワイヤー５の外縁Ｃ３を段差部３５に当接させながら作業を行えばよい。
【００２１】
なお、ワイヤー５は、良好な可撓性と耐久性とを兼ね備えるという観点から金属製線状体の撚線で構成されていることが望ましいが、特にこれに限定されることはなく、合成樹脂製であっても構わない。
【００２２】
判定用球体１０は、良好な判定精度と耐久性とを兼ね備えるという観点から金属製であることが望ましく、特にステンレススチール製であることが望ましい。ただし、特にこれに限定されることはなく、合成樹脂製であっても構わない。
【００２３】
ワイヤー５と判定用球体１０とを接合する手段も特に限定されないが、ワイヤー５と判定用球体１０とが共に金属製の場合は溶接によって接合されていることが良好な耐久性を確保する点で望ましい。
【００２４】
把持部１５の形状は特に限定されることはなく、作業者が作業しやすい平板形状であったり、その他の形状であったりしてもよい。また、互いに判定用球体１０の外径寸法が異なる複数種のボールゲージ１を束ねるために、各ボールゲージ１の把持部１５に通し孔が設けられていてもよい。
【００２５】
標識部２０の形状は特に限定されることはなく、把持部１５にシールを貼付したり、刻印を付したりすることによって、判定用球体１０の偏位方向を示す構成としてもよい。
【符号の説明】
【００２６】
１          ボールゲージ
５          ワイヤー（線状体）
１０        判定用球体
２０        標識部
Ｃ１        判定用球体の中心
Ｃ２        ワイヤーの先端における中心軸線
Ｃ３        ワイヤーの外縁
Ｃ４        判定用球体の接線
【図１】
2018077188.tif 000003
【図２】
2018077188.tif 000004
【図３】
2018077188.tif 000005